(57)【要約】【課題】打撃用具を使用する球技の練習に際して、球が打撃用具の所定の打撃面に当ったかどうかを打った瞬間に認識できるようにすることを課題とする。【解決手段】球技における打撃用具の所定の打撃面の周囲の少なくとも一部に、低反発材料で構成された規制部材を設ける。このような構成により、所定の打撃面に球が当った場合は球は普通に飛ぶ一方で、所定の打撃面からずれた周囲の低反発材料でできた規制部材が設けられている部分に球が当った場合は球は飛ばないことになる。【選択図】　図１
2004129908.tif 000002
【特許請求の範囲】
【請求項１】
所定の打撃面の周囲の少なくとも一部に低反発材料で構成された規制部材を設けた、球技における打撃用具。
【請求項２】
前記規制部材はさらに衝撃吸収効果も有する材料である請求項１に記載の打撃用具。
【請求項３】
前記規制部材は着脱可能である請求項１又は２に記載の打撃用具。
【請求項４】
前記打撃用具がゴルフクラブである請求項１から３の何れか１項に記載の打撃用具。
【請求項５】
前記規制部材がクラブヘッド前面の角部分までを覆う請求項４に記載の打撃用具。
【請求項６】
球技における打撃用具の所定の打撃面の周囲の少なくとも一部に着脱可能に設けられる、低反発材料で構成された規制部材。
【請求項７】
衝撃吸収効果を有する材料で構成された請求項６に記載の規制部材。
【請求項８】
前記打撃用具がゴルフクラブであって、クラブヘッド前面の角部分までを覆う請求項７に記載の規制部材。
【発明の詳細な説明】
【０００１】
【発明の属する技術分野】
この発明は、打撃用具を用いる球技における練習用の打撃用具であって、特に所定の打撃面でボールを捉える練習をするための打撃用具に関する。
【０００２】
【従来の技術】
ゴルフの練習において、ゴルフクラブのフェイス面中の最もよくボールが飛ぶ点（スイートスポット）や最もよくボールが飛ぶ範囲（スイートエリア）にボールを当てるようにすることは重要なポイントの一つである。しかし、ゴルフ経験の浅い初心者の場合、ゴルフクラブでボールを打っても実際スイートエリアに当たったのかそれ以外に当たったのかが分からないことも多い。
このため、打撃を受けると発色するシートをゴルフクラブのヘッドのフェイス面に貼りボールを打つという方法が提案されている。この場合、シートはボールが当った箇所のみが打撃を受けて発色することになるために、ボールを打った後にそのシートの発色箇所を見てボールがフェイス面のどこに当たったのかを認識することができる。
【０００３】
【発明が解決しようとする課題】
しかし、上記のようなシートを用いる練習方法ではボールがゴルフクラブのフェイス面のどこに当ったのかは打った後にしかわからないので、打撃という行為とボールが当った部分の認識との間に時間差が生じてしまうという問題がある。このように打撃行為と打撃点の認識との間に差があると実際の打撃の感覚とボールの打撃点との関連を感覚として把握することができず、おのずと練習効率が落ちることになる。
なお、所定の打撃面にボールを当てることが重要なのはゴルフに限らず、野球やテニス等の打撃用具を用いる球技においても同様である。
そこで、本発明は打撃用具を使用する球技の練習に際して、球が打撃用具の所定の打撃面に当ったかどうかを打った瞬間に認識できるようにすることを課題とする。
【０００４】
【発明を解決しようとする手段】
本発明は、以上の課題を解決するために次のような構成を有する。
請求項１に記載の発明は、球技における打撃用具の所定の打撃面の周囲の少なくとも一部に、低反発材料で構成された規制部材を設けている。このような構成により、所定の打撃面に球が当った場合は球は普通に飛ぶ一方で、所定の打撃面からずれた周囲の低反発材料でできた規制部材が設けられている部分に球が当った場合は球は飛ばないことになる。なお、低反発材料は少なくとも所定の打撃面よりも球を打ったときの反発力が小さくなる材料であれば足りる。
【０００５】
請求項２に記載の発明は、前記規制部材を衝撃吸収効果を有する材料にしたものである。このように規制部材が衝撃吸収効果を有することで打撃の際に規制部材が設けられた部分に球が当った場合には衝撃が吸収されることになる。なお、衝撃吸収効果は少なくとも所定の打撃面よりも球を打ったときの衝撃が吸収されれば足りる。
請求項３に記載の発明は、前記規制部材を着脱可能なものとしている。このように前記規制部材を着脱可能なものとすることで、必要に応じて前記規制部材を取り外すことができる。
請求項４に記載の発明は、前記打撃用具をゴルフクラブとしたものである。
請求項５に記載の発明は、前記規制部材がクラブヘッド前面の角部分までを覆っている。これにより球がクラブヘッドの角部に当たってもあまり飛ばない。
【０００６】
請求項６に記載の発明は、球技における打撃用具の所定の打撃面の周囲の少なくとも一部に着脱可能に設けられる、低反発材料で構成された規制部材である。この規制部材を通常の打撃用具に装着することで練習用の打撃用具が構成される。
請求項７に記載の発明は、請求項６に記載の規制部材の材料として衝撃吸収効果を持つものを使用している。これにより、やはり打撃の際に規制部材に球が当った場合に、発生する衝撃が吸収されることになる。
請求項８に記載の発明は、請求項７に記載の規制部材であって、前記打撃用具がゴルフクラブであり、このゴルフクラブのヘッド前面の角部分までを覆うものである。これにより、やはり、ゴルフクラブに装着して練習する際に、低反発材料で覆われたクラブヘッドの角に球が当っても球はあまり飛ばないことになる。
【０００７】
【発明の実施の形態】
以下、本発明の実施の形態について図面を参照しながら説明する。
（実施の形態１）
図１に本実施の形態に係る打撃用具である練習用クラブのヘッド部分の正面図を示し、図２はこの練習用クラブのヘッド部分の側面図を示す。当該練習用クラブは、各図に示されるように、ゴルフクラブのウッドを基礎としたものでヘッド１０、シャフト２０から構成される。
シャフト２０は従来のゴルフクラブと同じ材質および形であるので説明は省略する。ヘッド１０は、規制部材１１と、この規制部材１１が嵌るように構成された変形ヘッド１３が一体となったものである。
【０００８】
図３に図１のＸ−Ｘで切った端面図を示す。変形ヘッド１３は、図３で示されるように、従来のゴルフクラブのウッドにおけるヘッドの一定の箇所が削られて、スイートエリアｐ部分が突出するような凸部１３ａが形成されている。一方、規制部材１１は、この変形ヘッド１３の凸部に嵌るような穴１１ａが形成され、この穴１１ａを変形ヘッド１３の凸部１３ａに嵌めると丁度通常のヘッドの形状となるような形状をしている。規制部材１１は低反発かつ衝撃吸収効果を有する材料から構成される。具体的には本実施の形態ではゲルテック社のα−ゲル（登録商標）により構成されている。このような構成により低反発かつ衝撃吸収効果のある規制部材１１によりゴルフクラブヘッドの角部分までが覆われることになる。なお、規制部材としては低反発ウレタンフォーム、発泡スチロール、低反発性のゴム等種々のものが採用でき、また、後述の高衝撃吸収効果を考慮しなければ粘性素材で構成することも可能である。これは以下においても同様である。
このような構成を有する練習用クラブの使用方法は通常のクラブと同様である。普通に本クラブで球を打った場合、後述するように規制部材１１によりゴルフボールがスイートエリアに当たったのかどうかを、練習者は打った瞬間に知ることができ、効果的な練習を行うことができる。
【０００９】
本実施の形態に係る練習用クラブの効用について図４を用いて説明する。図４は練習用クラブとゴルフボールが当たる位置を模式的に表した側面図である。本練習用クラブでゴルフボールを打つと、例えば、図４に示すゴルフボールＡａやゴルフボールＡｃのように、ゴルフクラブのヘッドの上や下側にゴルフボールが当った場合には、規制部材１１の部分で打撃をすることになる。この場合は規制部材１１が低反発材料であるために、ゴルフボールはほとんど飛ばない。一方、ゴルフボールＡｂのようにゴルフクラブのヘッドのスイートスポットｐに当った場合はゴルフボールはよく飛ぶことになる。即ち、スイートスポットに当った場合とそうでない場合の飛距離の差が非常に大きいので練習者は打った瞬間にゴルフボールがスイートエリアに当ったのかどうかを認識することができる。ここではクラブのヘッドの上下方向についてのゴルフボールの当たる位置について説明しているが、ヘッドの左右方向についても同様のことが言える。図５に練習用クラブにゴルフボールが当たる位置を模式的に表した平面図を示す。即ち、図５におけるゴルフボールＡｄやゴルフボールＡｆは規制部材１１に当ってほとんど飛ばないが、ゴルフボールＡｅはスイートエリアｐに当りよく飛ぶことになるので、やはり練習者はその差を容易に認識することができる。
【００１０】
なお、フェイス面の角部分まで前記規制部材１１で覆われているので、この練習用クラブをフルスウィングしてフェイス面の角にボールが当たったとしてもゴルフボールはあまり飛ばない。従って、普通のゴルフクラブのように打ち損じによってフェイス面の角部にゴルフボールが当り、思わぬ方向へゴルフボールが勢い良く飛んでまわりに危害を加えてしまうといった危険性もあまりない。
さらに、前記規制部材１１は衝撃吸収効果のある材質でできているので、例えばクラブヘッドの先端の角部分で地面を叩いてしまったとしても、衝撃を規制部材１１が吸収してくれる。つまり、本練習用クラブでは、通常のゴルフクラブのように地面を叩いた際に生じる衝撃からくる強い振動がシャフトを伝わって手が痺れるようなことも少なくなる。
【００１１】
また、練習に際してはスイートスポットを中心として表出させるエリアが段階的に小さくなる複数の練習用クラブを用意し、表出エリアの大きなクラブから小さなクラブへと段階的に交換しながら練習することが望ましい。このような練習方法によって、より確実にスイートスポットにボールを当てることができ、ボールをコンスタントに遠くへ飛ばせるようになることが期待できる。
なお、ここではウッドについて説明しているが、図６（ａ）に示すようにパターについて同様の構成の練習用クラブを構成することもでき、（ｂ）に示すようにアイアンについても同様の構成の練習用クラブを構成することもできる。
【００１２】
（実施の形態２）
次に第２の実施の形態に係るゴルフクラブ用の練習用アダプタについて説明する。図７に本実施の形態に係る練習用アダプタＡの斜視図を示す。練習用アダプタＡはゴルフクラブのヘッド部分に被せる規制部材３１、規制部材３１に連結固定される２組の固定ベルト３２より構成される。
規制部材３１は、ゴルフクラブのウッドのヘッド前面にちょうど嵌るようなキャップ状の形状を有し、ヘッド前面に装着したときにヘッドのフェイス面のスイートエリアが表出するような穴３１ａが設けられている。また、ヘッド面に装着したときにゴルフクラブのシャフトが邪魔にならないように切り欠き３１ｂが形成されている。規制部材３１の材質は実施の形態１における規制部材１１と同じものである。
固定ベルト３２は規制部材３１の開口部の上縁と下縁に接着固定された２本の合成樹脂製のベルトを一組として構成され、上下の各ベルトは互いに面ファスナにより締結できるようになっている。
【００１３】
以上のような構成を有する練習用アダプタを使用するには、まず、固定ベルトを締結していない状態で規制部材３１をゴルフクラブのヘッドにフェイス面が穴３１ａの縁部に接触するまで嵌め入れる。そして、２組の固定ベルト３２のそれぞれをゴルフクラブのヘッドの後面にしっかりと止まるように締結さて規制部材３１をゴルフクラブのヘッドに固定する。図８に練習用アダプタＡをゴルフクラブのヘッドに装着した状態を表す斜視図を示す。図に示すように練習用アダプタＡをゴルフクラブのヘッドに装着すると、実施の形態１に係る練習用ゴルフクラブと同様に、スイートエリアｐが表出する一方で、スイートエリアの周囲からクラブのフェイス面の角部分にまで低反発かつ衝撃吸収効果のある規制部材に覆われることになる。従って、練習用アダプタＡを装着したゴルフクラブは実施の形態１に係る練習用ゴルフクラブと同様の効能を発揮することができる。
さらに、練習用アダプタＡについて穴３１ａの大きさの大きなものから小さなものまで複数種類用意しておけば、同じクラブを使ってスイートエリアの表出面積の大きなものから小さなものへと段階的に交換しながら練習することができ、より効果的な練習が可能となる。
なお、アダプタＡはここではゴルフクラブのウッド用のものを示したがアイアンやパターに用いるものも同様に製作できることが可能なことはいうまでもない。
【００１４】
また、上記各実施の形態ではゴルフクラブに関して説明してきたが、球を打撃する球技における打撃用具であれば種々のものに応用が可能である。例として、図９に野球のバットに規制部材を設けた例を示す。図に示す練習用バットはバットの比較的よく飛ぶ芯の周囲のエリアｐを表出させるように、低反発で衝撃吸収効果のある材料でできた規制部材４１でバットの先端部分からエリアｐの上縁にかけての部分およびエリアｐの後縁からグリップの手前までの部分を覆っている。この練習用バットも規制部材４１が設けられている部分は規制部材４１が嵌るように削られており、規制部材４１が嵌められた状態で通常のバットの形状になるように構成されている。このように構成することで、やはり、バッティング練習時に打った瞬間にエリアｐに当ったのかどうかを知ることが可能となる。
【００１５】
さらに、別の例として、図１０にテニスのラケットに規制部材を設けた例を示す。図に示す練習用ラケットはスイートエリアｐを表出させるように、低反発で衝撃吸収効果のある材料でできた規制部材５１でラケットの外周の一定範囲を覆っている。このような構成により使用者はスイートエリアｐに当ったのかどうかを瞬時に認識することが可能となる。また、図１０に示すようにテニスラケットに規制部材を設けた場合は、規制部材１の面積分だけスウィングした時に風の抵抗力が強くなるので筋力トレーニングができるといった効果も期待できる。
なお、図９や図１０に示すような打撃用具に関しても実施の形態２で示したように規制部材のみを従来の打撃用具に装着するように構成できることは言うまでも無い。
【００１６】
【発明の効果】
請求項１に記載の発明は、所定の打撃面に球が当った場合には球は普通に飛ぶ一方で、所定の打撃面からずれた周囲の規制部材が設けられている部分に球が当った場合には球は飛ばないので、使用者は所定の打撃面に当ったのか規制部材からずれた部分に当ったのかを打った瞬間に知ることができる。
請求項２に記載の発明では、打撃の際に規制部材に球が当たった場合にその衝撃が吸収される。規制部材は通常は打撃用具の球があまり飛ばない部分に設けられ、このような場所に球が当った場合は打撃者の手に衝撃を与えることが多い。ところが、請求項２に記載の発明によれば、規制部材が衝撃を吸収することでこのような打撃者への衝撃を緩和することが可能となる。
【００１７】
請求項３に記載の発明は、規制部材を必要に応じて取り外せば、打撃用具を普通の打撃用具として使用することができる。
請求項４に記載の発明は、打撃用具としてゴルフクラブに適用したものである。ゴルフクラブは小さなフェイス面の中にスイートエリアが存在し、そこに球を当てるようにしなければならないので、打った瞬間に所定の面に当ったかどうかがわかる本発明に好適である。
請求項５に記載の発明は、球がクラブヘッドの角部に当たってもあまり飛ばないので、打撃に失敗して球がクラブの角に当ったとしても思わぬ方向にボールが飛んで事故を起こすような事態を軽減させることができる。
【００１８】
請求項６に記載の発明は、通常の打撃用具に装着することで、打った瞬間に所定の打撃面に当ったのか打撃面の周囲に当たったのかを知ることができる練習用の打撃用具を得ることが可能となる。
請求項７に記載の発明は、打撃用具に装着して打撃をした際に、規制部材が設けられた場所に球が当ってもやはり打撃者への衝撃が低減されることになる。
請求項８に記載の発明は、通常のゴルフクラブに装着した際にヘッド前面の角部まで規制部材で覆われるので、やはり、球を打撃した際に不意にヘッドの角部に球が当って周囲に球が勢いよく飛ぶという事態を低減させることができる。
【図面の簡単な説明】
【図１】実施形態１に係る練習用クラブのヘッド部分の正面図である。
【図２】実施形態１に係る練習用クラブのヘッド部分の側面図である。
【図３】図１におけるＸ−Ｘ端面図である。
【図４】練習用クラブとゴルフボールが当たる位置を模式的に表した側面図である。
【図５】練習用クラブにゴルフボールが当たる位置を模式的に表した平面図である。
【図６】（ａ）はゴルフクラブのパター型の練習用クラブのヘッド部分の例を示す正面図であり、（ｂ）はゴルフクラブのアイアン型の練習用クラブのヘッド部分の例を示す正面図であある。
【図７】実施の形態に係る練習用アダプタの斜視図である。
【図８】実施の形態２に係る練習用アダプタをゴルフクラブのヘッドの装着した状態を示す斜視図である。
【図９】打撃用具としてのバットに実施の形態１に係る発明を応用した例を示す正面図である。
【図１０】打撃用具としてのテニスのラケットに実施の形態１に係る発明を応用した例を示す正面図である。
【符号の説明】
ｐ　スイートエリア
１０　ヘッド
１１、３１、４１、５１　規制部材
１３　変形ヘッド
２０　シャフト
３２　締結ベルト
【図１】
2004129908.tif 000003
【図２】
2004129908.tif 000004
【図３】
2004129908.tif 000005
【図４】
2004129908.tif 000006
【図５】
2004129908.tif 000007
【図６】
2004129908.tif 000008
【図７】
2004129908.tif 000009
【図８】
2004129908.tif 000010
【図９】
2004129908.tif 000011
【図１０】
2004129908.tif 000012